(57)【要約】【課題】  文書の内容を検索する情報処理装置であって、当該文書の著作権の権利保有者の権利が守られる情報処理装置を提供することを目的とする。【解決手段】  文書の内容を検索する情報処理装置であって、検索に用いるワードを入力する第一の入力手段と、前記検索を行う使用者の情報を入力する第二の入力手段と、前記検索ワードを用いた文書の検索結果を表示させる表示手段と、前記使用者が保持する権利の情報に基づき、前記表示手段による表示を異ならせる変更手段と、を有することを特徴とする。【選択図】  図２
2017033467.tif 000002
【特許請求の範囲】
【請求項１】
文書の内容を検索する情報処理装置であって、
検索に用いるワードを入力する第一の入力手段と、
前記検索を行う使用者の情報を入力する第二の入力手段と、
前記検索ワードを用いた文書の検索結果を表示させる表示手段と、
前記使用者が保持する権利の情報に基づき、前記表示手段による表示を異ならせる変更手段と、を有することを特徴とする情報処理装置。
【請求項２】
前記変更手段は、前記使用者が保持する権利の情報に基づき、前記表示手段によって表示される検索結果を購読する権利を、前記使用者が保持するか否かを表示することを特徴とする請求項１に記載の情報処理装置。
【請求項３】
前記変更手段は、前記使用者が保持する権利の情報に基づき、前記使用者が購読する権利を保持する検索結果を優先的に表示させることを特徴とする請求項１または請求項２に記載の情報処理装置。
【請求項４】
前記変更手段は、前記使用者が保持する権利の情報に基づき、前記使用者が購読する権利を保持しない検索結果のプレビュー表示を禁止することを特徴とする請求項１乃至３のいずれか１項に記載の情報処理装置。
【請求項５】
前記使用者が保持する権利は、同一の著作物から作成されたコンテンツを購読することができる書籍購読権であることを特徴とする請求項１乃至４のいずれか１項に記載の情報処理装置。
【請求項６】
文書の内容を検索する情報処理方法であって、
第一の入力手段が、検索に用いるワードを入力する第一の入力工程と、
第二の入力手段が、前記検索を行う使用者の情報を入力する第二の入力工程と、
表示手段が、前記検索ワードを用いた文書の検索結果を表示させる表示工程と、
変更手段が、前記使用者が保持する権利の情報に基づき、前記表示工程における表示を異ならせる変更工程と、を有することを特徴とする情報処理方法。
【請求項７】
コンピュータを、
文書の内容を検索する情報処理装置であって、
検索に用いるワードを入力する第一の入力手段と、
前記検索を行う使用者の情報を入力する第二の入力手段と、
前記検索ワードを用いた文書の検索結果を表示させる表示手段と、
前記使用者が保持する権利の情報に基づき、前記表示手段による表示を異ならせる変更手段と、を有することを特徴とする情報処理装置として機能させるためのコンピュータプログラム。
【発明の詳細な説明】
【技術分野】
【０００１】
本発明は、文書の検索を行う情報処理装置、情報処理方法、およびコンピュータプログラムに関する。
【背景技術】
【０００２】
近年、紙に印刷された書籍や雑誌などの印刷出版書籍に加えて、スマートフォンやタブレット端末などを用いて購読することが可能な電子書籍が普及している。電子書籍には、購読に用いる端末や閲覧用ソフトに応じて、様々なフォーマットで作成されたコンテンツが存在している。
【０００３】
消費者は、印刷出版の書籍を購入して読んだ後、蔵書のために場所をとらない同一内容の電子書籍を購入するというケースがある。また、消費者は、あるフォーマットの電子書籍を購入した後に、購読用の端末を買い替えたため、異なるフォーマットの同一内容の電子書籍を購入するというケースもある。
【０００４】
一般的には、コンテンツ毎に料金が設定されている。よって、上記の２ケースのように消費者が同一の著作物から作成された異なるフォーマット（印刷出版書籍もフォーマットの一種とする）のコンテンツを複数購入する際に、同一の著作物に対する対価を複数回支払うことになってしまう。
【０００５】
さらに、著作物には出版社と著者などの間で個別に締結された権利関係が存在し、かつ、その情報は出版社と著者などによって個別に管理されている。そのため、コンテンツ作成者は、著作物からコンテンツを作成する際には、出版社や著者などの権利保有者と個別に権利関係の調整や契約が必要であり、その処理に時間と労力が必要となる。
【０００６】
印刷出版の書籍を購入した消費者に対して電子書籍を割引販売する技術として、特許文献１に開示されている技術がある。特許文献１では、消費者が印刷出版書籍を書店で購入した際に、ＩＣカードに「購入証明」を発行する。その後、消費者が電子書籍を買う際に、購入証明の有無によってサービスを切り替えるものである。また、特許文献２には、異なるフォーマットのコンテンツを再購入する際に特典を付ける技術が開示されている。特許文献２では、第１のフォーマットである第１のコンテンツとコンテンツライセンスをユーザーに販売する。このコンテンツライセンスを記憶しておき、第２のフォーマットである第２のコンテンツの販売において、前記コンテンツライセンスを解析してその販売に影響を与えるというものである。
【０００７】
しかしながら、特許文献１では、消費者が印刷出版書籍を購入したか否かを管理している。よって、同一の著作物から作成された異なるフォーマットの電子書籍を複数種類購入する場合には、著作物に対する対価を複数回に支払わなければならないということが起こりえる。
【０００８】
また、特許文献１および特許文献２には、消費者とコンテンツ作成者（これらの文献では販売者と同一）との間の権利関係に関する開示はあるが、コンテンツ作成者と著作物の権利保有者との権利関係の調整や契約についての方策は開示されていない。そのため、著作物の権利保有者とコンテンツ作成者が異なる場合に、コンテンツ作成者は、著作物からコンテンツを作成する際に、出版社や著者などの権利保有者と個別に権利関係の調整や契約が必要であり、その処理に時間と労力が必要となる。
【０００９】
このような問題を解決する手段として、同一の著作物から作成されたコンテンツを、フォーマットの如何にかかわらずに購読することができる権利（以後、書籍購読権と呼ぶ）を用いた技術がある。これは、書籍購読権を消費者が購入し、その権利を管理している。消費者は書籍購読権を所持しているコンテンツに関しては、コンテンツのフォーマット価格のみの支払いで済むため、安い価格で書籍を購入することができる。
【００１０】
また、近年、書籍の内容を全文検索し、その結果をプレビュー表示するサービスが始まっている。従来の書籍名や著者名から検索する手法と比較すると、全文を検索するため消費者が所望の書籍に到達しやすく、また、書籍内のどこのページに所望の情報があるかまで判るというメリットがある。
【先行技術文献】
【特許文献】
【００１１】
【特許文献１】特開２０００−１１３０４９号公報
【特許文献２】特表２００７−５２４９２１号公報
【発明の概要】
【発明が解決しようとする課題】
【００１２】
しかしながら、書籍の内容を検索して、その結果をプレビュー表示してしまうと、著作物の権利保有者の権利が侵害されてしまう可能性がある。例えば、検索に適合した書籍が著作権の保護期間内である場合において、検索した消費者は著作物を購入していないにも関わらず著作物の情報を参照することが出来るため、著作権の権利保有者は著作物の販売の機会損失をしてしまう可能性がある。
【００１３】
そこで本発明では、文書の内容を検索する情報処理装置であって、当該文書の著作権の権利保有者の権利が守られる情報処理装置を提供することを目的とする。
【課題を解決するための手段】
【００１４】
本発明は、文書の内容を検索する情報処理装置であって、検索に用いるワードを入力する第一の入力手段と、前記検索を行う使用者の情報を入力する第二の入力手段と、前記検索ワードを用いた文書の検索結果を表示させる表示手段と、前記使用者が保持する権利の情報に基づき、前記表示手段による表示を異ならせる変更手段と、を有することを特徴とする。
【発明の効果】
【００１５】
本発明によれば、文書の内容を検索する情報処理装置であって、当該文書の著作権の権利保有者の権利が守られる情報処理装置を提供することが出来る。
【図面の簡単な説明】
【００１６】
【図１】第一の実施形態における文書の検索処理の概念を示す図。
【図２】書籍購読権を用いた検索装置の構成を示すブロック図。
【図３】書籍購読権を用いた検索処理を示すフローチャート。
【図４】検索結果一覧の１例を示す図。
【図５】書籍購読権管理装置の構成を示すブロック図。
【図６】検索オプションの１例を示す図。
【図７】消費者所持書籍購読権ＤＢ１４に格納される項目の１例を示す図。
【図８】利用者情報ＤＢ１１に格納される項目の１例を示す図。
【図９】書籍購読権ＤＢ１２に格納される項目の１例を示す図。
【図１０】第一の実施形態におけるコンピュータ装置の構成例を示す図。
【発明を実施するための形態】
【００１７】
（第一の実施形態）
図１は、本実施形態における文書の検索処理の概念を示す図である。図に示す通り、書籍購読権管理装置１０、書籍購読権を用いた検索装置１９０（情報処理装置）と消費者端末１２（使用者端末）がネットワークを介して接続している。消費者が書籍購読権を用いた検索装置１９０のＷｅｂページにて検索ワードを入力し、書籍（文書）の内容を全文検索する例について説明する。
【００１８】
書籍購読権を用いた検索装置１９０は、図４（ａ）に示すような検索結果一覧を表示する。検索結果一覧には、検索ワードに適合した書籍が上位から並べられ、４０１、４０２に示すように、消費者が書籍購読権を所持するか否かが表示される。また、消費者がその検索結果一覧からプレビュー表示したい書籍を選択すると、消費者が書籍購読権を所持する書籍は内容をプレビュー表示し、消費者が書籍購読権を所持しない書籍の内容はプレビュー表示を禁止する。また、消費者が書籍購読権を所持する書籍を優先的に表示させてもよい。上記のように、検索装置１９０の一部は、書籍購読権の有無に応じて、書籍のプレビュー表示を異ならせる変更手段として機能する。
【００１９】
図１０は、本実施形態において、書籍購読権管理装置１０、書籍購読権を用いた検索装置１９０と消費者端末１２として用いるコンピュータ装置の構成の一例を示すブロック図である。  １００１はＲＡＭ１００２に格納されている制御プログラムに従って本装置全体の制御を行うＣＰＵである。１００２はＣＰＵ２０１が実行するコンピュータプログラムや、文書画像等のデータを格納するＲＡＭ等の内部記憶部である。１００３はＣＰＵ１００１の制御の下にネットワークとの接続を行なってデータ等を送受信するネットワークインタフェースである。１００４はデータを保存する磁気ディスク等の外部記憶装置である。１００５はディスプレイ、１００６はキーボード、１００７はマウス等のポインティングデバイスである。
【００２０】
ＲＡＭ１００２に格納されているプログラムは、所定の動作を行うために、ＲＡＭ１００２に格納されているＯＳ（Ｏｐｅｒａｔｉｎｇ  Ｓｙｓｔｅｍ）の機能を必要に応じて使用する。また、ＲＡＭ１００２に格納されているプログラムは、ＲＡＭ１００２に一時記憶するデータの内容の読み書きを行なったり、外部記憶装置１００４上でデータの読み書きを行なう。また、ネットワークインタフェース１００３を通じてデータの送受信を行なったりする。また、ＲＡＭ１００２に格納されているプログラムは、キーボード１００６やポインティングデバイス１００７からの入力を受け取ったり、ディスプレイ１００５に表示を行なったりする。
【００２１】
図５は、本実施形態の書籍購読権管理装置１０の構成例を示すブロック図である。書籍購読権管理装置１０は、利用者情報ＤＢ１１、書籍購読権ＤＢ１２、コンテンツＤＢ１３、消費者所持書籍購読権ＤＢ１４とネットワークを介して接続される。もしくは、上記構成を含むようにしても良い。書籍購読権管理装置１０は、利用者情報登録部１０１、書籍購読権登録部１０２、コンテンツ登録部１０３、コンテンツ承認部１０４、消費者所持書籍購読権管理部１０５、認証部１０６、著作権料決済部１０７から構成される。利用者情報登録部１０１は、書籍購読権管理装置を利用する個人や法人の情報を登録するための機能部位である。ここで、書籍購読権管理装置を利用する個人や法人とは、著作物の権利保有者、その著作物を元にコンテンツを作成するコンテンツ作成者、コンテンツを購読する消費者のことである。権利保有者、コンテンツ作成者および消費者は予め、書籍購読権管理装置１０を利用するために、利用者情報登録部１０１において、利用者情報を登録し、利用者情報ＤＢ１１に格納している。図８に利用者情報の一例を示す。図８（ａ）は著作物の権利保有者情報の一例であり、権利保有者ＩＤ、パスワード、氏名、Ｅ−ｍａｉｌアドレスなどの項目を含む。また、図８（ｂ）はコンテンツ作成者情報の一例であり、コンテンツ作成者ＩＤ、パスワード、氏名、Ｅ−ｍａｉｌアドレスなどの項目を含む。図８（ｃ）は消費者情報の一例であり、消費者ＩＤ、パスワード、氏名、Ｅ−ｍａｉｌアドレスなどの項目を含む。
【００２２】
書籍購読権登録部１０２は、著作物の権利保有者が著作物の書籍購読権を登録するための機能部位である。コンテンツ登録部１０３は、コンテンツ作成者が著作物を元に作成したコンテンツを登録するための機能部位である。本実施例では、検索装置を用いてサービスを行う事業者が、検索用のコンテンツを作成し登録する。コンテンツ承認部１０４は、著作物の権利所有者が登録されたコンテンツを承認するための機能部位である。本実施例では、著作物の権利所有者が検索用のコンテンツを承認する。消費者所持書籍購読権管理部１０５は、消費者が所持する書籍購読権を管理する機能部位である。認証部１０６は、コンテンツが著作物の権利所有に承認されたものであることを認証する機能、および、消費者が書籍購読権を所持することを認証するための機能を有する機能部位である。著作権料決済部１０７は、消費者が書籍購読権を購入した際に、著作物の権利所有者へ著作権料の振込等の決済処理を行う機能部位である。利用者情報ＤＢ１１は、利用者情報登録部１０１にて登録された情報を格納する機能部位である。
【００２３】
書籍購読権ＤＢ１２は、書籍購読権登録部１０２にて登録された書籍購読権の情報を格納する機能部位である。図９（ａ）は書籍購読権の情報の一例を示す。著作物の権利保有者が書籍購読権を登録した際に書籍購読権ＩＤ９０１が付与され、コンテンツ作成者によって登録され著作物の権利保有者によって承認されたコンテンツのＩＤが、承認コンテンツＩＤ９０３として格納されている。本実施例では、検索装置を用いてサービスを行う事業者が、検索用のコンテンツを作成し登録して、著作物の権利保有者によって承認されたコンテンツのＩＤが格納されている。また、著作物の権利保有者が登録した書籍購読権権利条項９０２が格納されている。ここで、書籍購読権権利条項９０２とは、著作物の権利保有者が有する権利（著作権や著作隣接権など）の中から、消費者に与える権利内容を記した条項である。この項目は著作物の権利保有者が自由に設定しても良いし、消費者に混乱を与えないために、業界団体が推奨する権利項目を設定しても良い。図９（ｂ）に権利条項の一部を示す。これらの権利項目の中から１つまたは複数が選択される。本実施例では、９０６に示すように、書籍購読権の権利条項の項目の一部に、書籍の内容を検索する権利が含まれている。また、権利条項には、著作物の権利保有者の権利が侵害されないようにするため制限事項９０４を設定している。簡易印刷書籍であれば、９０５に示すように、印刷時に簡易印刷書籍へ識別情報が付加されて印刷される、購入できるのは２冊まで等と設定する。また、印刷回数は１回までだが、最後に印刷してから２年経過すると再度印刷できる、専門の廃棄所へ持ち込んで廃棄すると再度印刷できる等と設定してもよい。コンテンツＤＢ１３は、コンテンツ登録部１０３にて登録されたコンテンツの情報を格納する機能部位である。
【００２４】
消費者所持書籍購読権ＤＢ１４は、消費者が所持する書籍購読権の情報を格納する機能部位である。図７（ａ）に消費者が所持する書籍購読権の情報の一例を示す。消費者ＩＤ７０１とその消費者が保持する書籍購読権ＩＤ７０２を格納している。さらに、書籍購読権に制限事項が設定されている場合は、図７（ｂ）に示すように、その制限を行うために必要な管理情報７０３を格納している。例えば、簡易印刷書籍の管理情報は、図９（ｂ）の９０５に示すような制限を行うため、図７（ｃ）に示すように、最終印刷日時７０５、印刷回数７０６などを格納している。
【００２５】
図２は書籍購読権を用いた検索装置１９０の構成例を示すブロック図である。書籍購読権を用いた検索装置１９０は、著作物データＤＢ１９１とネットワークを介して接続されるか、またはそれらを含む構成としても良い。また、書籍購読権を用いた検索装置１９０は、先述した書籍購読権管理装置１０とネットワークを介して接続されるか、またはそれらを含む構成としても良い。書籍購読権を用いた検索装置１９０は検索ワード入力部１９０１、消費者情報入力部１９０２、著作物データ検索部１９０３、書籍購読権管理部１９０４、検索結果表示部１９０５、書籍購読権販売部１９０６から構成される。検索ワード入力部１９０１は、消費者が書籍の内容を検索するための検索ワードを入力するための機能部位である。消費者情報入力部１９０２は、書籍購読権管理装置１０が消費者を識別するのに用いる消費者情報を入力するための機能部位である。著作物データ検索部１９０３は、著作物データＤＢ１９１を参照して、消費者が入力した検索ワードに適合する書籍を検索するための機能部位である。書籍購読権確認部１９０４は、検索の結果、検索ワードに適合した書籍の書籍購読権を、消費者が所持するか否かを書籍購読権管理装置１０へ確認するための機能部位である。検索結果表示部１９０５は、消費者が書籍購読権を持つか否かによって、検索結果の表示を切り替えるための機能部位である。著作物データＤＢ１９１は、様々な著作物の内容を検索可能なフォーマットに変換したデータを格納している。
【００２６】
図３は本実施形態における書籍購読権を用いた購買処理のフローチャートである。まず、検索ワード入力部１９０１において、消費者が書籍の内容を検索するための検索ワードの入力を受け付ける（Ｓ３０１）。次に、消費者情報入力部１９０２において、消費者が予め書籍購読権管理システム１０に登録しておいた消費者ＩＤおよびパスワードの入力を受け付ける（Ｓ３０２）。次に、著作物データ検索部１９０３において、著作物データＤＢ１９１を参照して、消費者が入力した検索ワードに適合する書籍を検索する（Ｓ３０３）。次に、書籍購読権確認部１９０４において、検索の結果、検索ワードに適合した書籍の書籍購読権を、消費者が所持するか否かを書籍購読権管理装置１０へ確認する（Ｓ３０４）。その際、検索ワードに適合した書籍の書籍購読権ＩＤまたはコンテンツＩＤ、および、消費者ＩＤ、パスワードを書籍購読権管理装置１０へ送信する。ここで、検索ワードに適合した書籍が複数ある場合には、書籍購読権ＩＤまたはコンテンツＩＤを複数送付する。次に、書籍購読権管理装置１０は認証部１０６において、検索ワードに適合した書籍の書籍購読権を消費者が所持するか否かを認証する（Ｓ３０５）。認証部１０６では、消費者ＩＤ、パスワードを用いて消費者を識別し、書籍購読権ＤＢ１２および消費者所持書籍購読権ＤＢ１４を探索して、消費者が検索ワードに適合した書籍の書籍購読権を所持する否かを認証する。ここで、検索ワードに適合した書籍が複数ある場合には、複数の書籍それぞれについて、消費者が書籍購読権を所持するか否かを認証する。次に、検索結果表示部１９０５において、図４（ａ）に示すような検索結果一覧を表示する（Ｓ３０６）。検索結果一覧には、検索ワードに適合した書籍が上位から並べられ、４０１、４０２に示すように、消費者が書籍購読権を所持するか否かが表示されている。次に、検索結果一覧から消費者がプレビュー表示したい書籍の選択を受け付ける（Ｓ３０７）。次に、書籍購読権を用いた検索装置１９０は検索結果表示部１９０５において、検索ワードに適合した書籍の書籍購読権を消費者が所持するか否かによって処理をきりかえる（Ｓ３０８）。Ｓ３０７にて選択された書籍の書籍購読権を消費者が所持する場合は、消費者端末に書籍の内容をプレビュー表示する（Ｓ３０９）。書籍購読権を消費者が所持しない場合は、消費者端末に書籍の書名のみを表示し、書籍購読権を所持していないため、プレビュー表示が出来ない旨を表示する（Ｓ３１０）。
【００２７】
以上説明した処理制御を行うことで、書籍の内容を検索して、その結果をプレビュー表示する場合において、著作物の権利保有者の権利を守ることが可能となる。
なお、本実施形態では、書籍購読権管理装置１０と書籍購読権を用いた検索装置１９０がネットワークを介して接続している例を用いて説明した。しかし、書籍購読権管理装置１０が書籍購読権を用いた検索装置１９０に含まれる構成としても同様の効果を得ることができる。
【００２８】
また、本実施形態では、消費者が所持する検索する権利として、書籍購読権を例に説明したが、書籍購読権を使わずに本実施形態を構成しても良い。
【００２９】
（第二の実施形態）
第一の実施形態では、図４（ａ）に示すような、検索ワードに適合した書籍が上位から並べられ、４０１、４０２に示すような消費者が書籍購読権を所持するか否かが表示されている検索結果一覧の例を示した。
【００３０】
しかし、消費者が過去に読んだ書籍、つまり書籍購読権を所持する書籍のみを検索して、どの書籍に所望の情報があるかを検索するような場合においては、書籍購読権を持っていない書籍の検索結果も表示されるため、所望の情報に到達しにくくなってしまう。
【００３１】
そこで、本実施形態では、検索する際に検索オプションを設定して、書籍購読権を所持する書籍の検索結果が上位に表示されるようにすることを特徴とする。
【００３２】
第二の実施形態におけるブロック図は上述した第一の実施形態と同様であるため、同一符号を参照するとして説明を省略する。図３は、本実施形態における書籍購読権を用いた購買処理のフローチャートである。
【００３３】
まず、検索ワード入力部１９０１において、消費者が書籍の内容を検索するための検索ワードの入力を受け付けると共に、図６に示すような検索オプションを表示して、消費者が選択した選択オプションの入力を受け付ける（Ｓ３０１）。Ｓ３０２からＳ３０５までの処理は、第一の実施形態と同一であるため説明を省略する。次に、検索結果表示部１９０５において、検索結果一覧を表示する（Ｓ３０６）。その際、Ｓ３０１において、６０１「全て表示する」が選択された場合には、図４（ａ）に示すように書籍購読権を所持するか否かにかかわらず、検索ワードの適合した書籍が上位から並べられる。また、６０２「書籍購読権を所持する著作物を優先して表示」が選択された場合には、図４（ｂ）に示すように書籍購読権を所持する著作物が上位に並べられる。また、６０３「書籍購読権を所持する著作物のみを表示」が選択された場合には、図４（ｃ）に示すように書籍購読権を所持する著作物のみが表示される。つまり、消費者が検索する際に、６０２または６０３を選択すれば、すばやく所望の情報に到達できる。Ｓ３０７からＳ３１０までの処理は、第一の実施形態と同一であるため説明を省略する。
【００３４】
以上説明した処理制御を行うことで、消費者が過去に読んだ書籍、つまり書籍購読権を所持する書籍のみを検索して、どの書籍に所望の情報があるかを検索するような場合においても、すばやく所望の情報に到達できるようになる。
【００３５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2017033467.tif 000003
【図２】
2017033467.tif 000004
【図３】
2017033467.tif 000005
【図４】
2017033467.tif 000006
【図５】
2017033467.tif 000007
【図６】
2017033467.tif 000008
【図７】
2017033467.tif 000009
【図８】
2017033467.tif 000010
【図９】
2017033467.tif 000011
【図１０】
2017033467.tif 000012